(57)【要約】  本発明の一実施形態により液体容器用定量吐出装置が提供される。前記装置は、内容物を収容する容器本体と；前記容器本体に収容された内容物を吸い込んで吐き出すためのスポイトパイプを備えるスポイト部と；前記容器本体の上部に配置され、上端部に前記スポイト部が結合される結合部が形成され、前記結合部から前記容器本体の内側に延びて前記スポイトパイプが挿入または取り出されるパイプ収容部を備え、下端部に前記容器本体内部と連通する内容物流入ホールが形成される支持体と；を含み、前記支持体から前記スポイト部が分離されることにより、前記容器本体に収容された内容物が前記スポイトパイプに吸い込まれることができる。【選択図】  図２
2021519732.tif 000002
【特許請求の範囲】
【請求項１】
液体容器用定量吐出装置であって、
内容物を収容する容器本体と、
前記容器本体に収容された内容物を吸い込んで吐き出すためのスポイトパイプを備えるスポイト部と、
前記容器本体の上部に配置され、上端部に前記スポイト部が結合される結合部が形成され、前記結合部から前記容器本体の内側に延びて前記スポイトパイプが挿入または取り出されるパイプ収容部を備え、下端部に前記容器本体内部と連通する内容物流入ホールが形成される支持体と、
を含み、
前記支持体から前記スポイト部が分離されることにより、前記容器本体に収容された内容物が前記スポイトパイプに吸い込まれる、液体容器用定量吐出装置。
【請求項２】
前記スポイト部は、
前記スポイトパイプと、
前記スポイトパイプに挿入されて昇降（上昇または下降）するステムと、
前記ステムの下端部に結合され、前記ステムの昇降に応じて前記スポイトパイプの内部で上下に移動するプランジャーチップと、
前記結合部に螺合され、上端部内側に、前記スポイト部の分離時に、前記容器本体に収容された内容物を吸い込むために前記ステムの上昇をガイドするガイド部が形成されるスクリューキャップと、
を含む、請求項１に記載の液体容器用定量吐出装置。
【請求項３】
前記スクリューキャップを取り囲むように結合され、前記スポイト部を分離または結合するための使用者の操作に応じて回転し、内面にボタン部の上下動をガイドする垂直ガイド溝が形成される外キャップと、
前記ステムの上端部に結合され、外面に前記垂直ガイド溝に結合される少なくとも１つの結合突起が形成される前記ボタン部と、
をさらに含み、
前記外キャップの回転に応じて前記ボタン部及び前記ステムが同じ方向に一緒に回転する、請求項２に記載の液体容器用定量吐出装置。
【請求項４】
前記ガイド部は、第１の方向に沿って上側傾斜面を形成する上昇ガイド面を含み、前記ステムの外周面に少なくとも１つの昇降突起が形成され、
前記外キャップの回転により前記ステムが前記第１の方向に回転すると、前記昇降突起が前記上昇ガイド面に沿って移動することにより、前記ステムが上昇して、前記容器本体に収容された内容物が前記スポイトパイプに吸い込まれる、請求項３に記載の液体容器用定量吐出装置。
【請求項５】
前記ガイド部を取り囲むように前記スクリューキャップに結合される補助キャップをさらに含み、
前記補助キャップの内側上部には、前記昇降突起の前記第１の方向への移動を制限する係止段が形成される、請求項４に記載の液体容器用定量吐出装置。
【請求項６】
前記ステムの前記第１の方向の回転に伴い、前記昇降突起が移動して前記係止段に接触すると、前記スクリューキャップが前記外キャップと共に前記第１の方向に回転することにより、前記支持体の結合部から分離される、請求項５に記載の液体容器用定量吐出装置。
【請求項７】
前記係止段は、前記ガイド部から離れて形成され、
前記昇降突起が前記ガイド部と前記係止段との間の離間空間に位置した場合、使用者が前記ボタン部を押すと、前記ステム及び前記プランジャーチップが下降することにより、前記スポイトパイプに吸い込まれた内容物が外部に吐き出される、請求項５に記載の液体容器用定量吐出装置。
【請求項８】
前記ガイド部は、前記上昇ガイド面に対向して形成されている垂直面をさらに含み、
使用者の操作により前記外キャップが前記第１の方向とは反対の第２の方向に回転することにより、前記昇降突起が前記垂直面に接触すると、前記スクリューキャップが前記第２の方向に前記外キャップと共に回転し、前記結合部と結合される、請求項４に記載の液体容器用定量吐出装置。
【請求項９】
前記スクリューキャップの上部には、周りの少なくとも一部を下方に切開することにより少なくとも１つの開放部を形成し、
前記ボタン部は、前記結合突起が前記開放部に対応して配置されると、使用者の加圧により下方に移動する、請求項３に記載の液体容器用定量吐出装置。
【請求項１０】
前記ボタン部の内側上部には、突出部が所定の長さだけ下側に突出し、
前記ステムの上端部には、前記突出部が挿入されるように、前記突出部に対応する形状の結合溝が形成され、
前記結合溝への前記突出部の挿入深さが前記ステムの昇降に応じて変化する、請求項３に記載の液体容器用定量吐出装置。
【発明の詳細な説明】
【技術分野】
【０００１】
本発明は、液体容器用定量吐出装置に係り、さらに詳しくは、キャップを分離する動作だけで一定量の内容物を取り出して使用することが可能な液体容器用定量吐出装置に関する。
【背景技術】
【０００２】
一般に、アイクリームなど、一回に少量で正確に定量を使用したほうが良い化粧品など、液状の内容物を使用する方法として、従来は使用時に必要な量のみを使用できるようにカプセルなどの形で個別包装する方法が採用された。しかしながら、このような個別包装方法は、使用者が内容物を使用した後でもカプセル内に比較的多く残るため、極めて非効率であるという問題があった。
【０００３】
このような個別包装方法の問題を解決するために、内容物を容器に格納した後、一般的なスポイトやシリンジ（注射器）構造の取り出し手段、またはプッシュポンプ（ｐｕｓｈ  ｐｕｍｐ）構造の取り出し手段を用いて、使用するたびに内容物を取り出して使用する構成が考案された。
【０００４】
しかし、一般的スポイト構造の取り出し手段の場合、ゴム製の圧着部を使用者が押す度合いに応じて吸い込んで取り出す量が変わるので、使用する度に正確かつ定量的に抽出することが難しいという問題があった。
【０００５】
また、シリンジ構造の取り出し手段を用いた場合には、ほとんど１ｍｌ程度の極少量を使用するので、この観点からみると、シリンジの直径を極めて小さくしたり、シリンジピストンのストロークを極めて小さくしたりするなどの構成上の問題があるのはもちろん、内容物を取り出すには、シリンジのピストンを引いて内容物を吸引し、さらにシリンジのピストンを押して内容物を取り出すため、使い勝手が悪いという問題があった。
【０００６】
したがって、かかる問題を解決するための技術が求められる。
【発明の概要】
【発明が解決しようとする課題】
【０００７】
本発明は、上記問題を解決するためのものであり、キャップの分離に応じて容器本体に格納された内容物をスポイトパイプ内に吸い込むことで、別の操作なしで簡単に内容物を一定量取り出して使用することが可能な液体容器用定量吐出装置を提供することを目的とする。
【０００８】
本発明の技術的課題は、以上で言及した技術的課題に制限されず、言及していない他の技術的課題らは、以下の記載から当業者にとって明確に理解できるであろう。
【課題を解決するための手段】
【０００９】
本発明の一実施形態により液体容器用定量吐出装置が提供される。前記装置は、内容物を収容する容器本体と；前記容器本体に収容された内容物を吸い込んで吐き出すためのスポイトパイプを備えるスポイト部と；前記容器本体の上部に配置され、上端部に前記スポイト部が結合される結合部が形成され、前記結合部から前記容器本体の内側に延びて前記スポイトパイプが挿入または取り出されるパイプ収容部を備え、下端部に前記容器本体内部と連通する内容物流入ホールが形成される支持体と；を含み、前記支持体から前記スポイト部が分離されることにより、前記容器本体に収容された内容物が前記スポイトパイプに吸い込まれることができる。
【００１０】
好ましくは、前記スポイト部は、前記スポイトパイプと；前記スポイトパイプに挿入されて昇降（上昇または下降）するステムと；前記ステムの下端部に結合され、前記ステムの昇降に応じて前記スポイトパイプの内部で上下に移動するプランジャーチップと；前記結合部に螺合され、上端部内側に、前記スポイト部の分離時に、前記容器本体に収容された内容物を吸い込むために前記ステムの上昇をガイドするガイド部が形成されるスクリューキャップと；を含み得る。
【００１１】
また、好ましくは、前記スクリューキャップを取り囲むように結合され、前記スポイト部を分離または結合するための使用者の操作に応じて回転し、内面にボタン部の上下動をガイドする垂直ガイド溝が形成される外キャップと；前記ステムの上端部に結合され、外面に前記垂直ガイド溝に結合される少なくとも１つの結合突起が形成される前記ボタン部と；をさらに含み、前記外キャップの回転に応じて前記ボタン部及び前記ステムが同じ方向に一緒に回転することができる。
【００１２】
また、好ましくは、前記ガイド部は、第１の方向に沿って上側傾斜面を形成する上昇ガイド面を含み、前記ステムの外周面に少なくとも１つの昇降突起が形成され、前記外キャップの回転により前記ステムが前記第１の方向に回転すると、前記昇降突起が前記上昇ガイド面に沿って移動することにより、前記ステムが上昇して、前記容器本体に収容された内容物が前記スポイトパイプに吸い込まれることができる。
【００１３】
また、好ましくは、前記ガイド部を取り囲むように前記スクリューキャップに結合される補助キャップをさらに含み、前記補助キャップの内側上部には、前記昇降突起の前記第１の方向への移動を制限する係止段が形成されてもよい。
【００１４】
また、好ましくは、前記ステムの前記第１の方向の回転に伴い、前記昇降突起が移動して前記係止段に接触すると、前記スクリューキャップが前記外キャップと共に前記第１の方向に回転することにより、前記支持体の結合部から分離され得る。
【００１５】
また、好ましくは、前記係止段は、前記ガイド部から離れて形成され、前記昇降突起が前記ガイド部と前記係止段との間の離間空間に位置した場合、使用者が前記ボタン部を押すと、前記ステム及び前記プランジャーチップが下降することにより、前記スポイトパイプに吸い込まれた内容物が外部に吐出され得る。
【００１６】
また、好ましくは、前記ガイド部は、前記上昇ガイド面に対向して形成されている垂直面をさらに含み、使用者の操作により前記外キャップが前記第１の方向とは反対の第２の方向に回転することにより、前記昇降突起が前記垂直面に接触すると、前記スクリューキャップが前記第２の方向に前記外キャップと共に回転し、前記結合部と結合され得る。
【００１７】
また、好ましくは、前記スクリューキャップの上部には、周りの少なくとも一部を下方に切開することにより少なくとも１つの開放部を形成し、前記ボタン部は、前記結合突起が前記開放部に対応して配置されると、使用者の加圧により下方に移動することができる。
【００１８】
また、好ましくは、前記ボタン部の内側上部には、突出部が所定の長さだけ下側に突出し、前記ステムの上端部には、前記突出部が挿入されるように、前記突出部に対応する形状の結合溝が形成され、前記結合溝への前記突出部の挿入深さが前記ステムの昇降に応じて変化することができる。
【発明の効果】
【００１９】
本発明によれば、スポイト部を分離するための回転動作に対応して、容器本体に格納された内容物をスポイトパイプ内に吸い込むようにすることで、別の操作なしで簡単に内容物を一定量取り出して使用することができる。
【００２０】
また、本発明によれば、スポイトパイプが容器本体に格納された内容物に直接曝されることがないので、内容物によるスポイトパイプの汚染を防止することができるだけでなく、内容物の使用に応じて上昇するピストンを容器本体内に備えることで、容器本体内に残留する内容物を最小限に抑えることができる。
【００２１】
さらにまた、本発明によれば、内容物流入ホールを開閉する逆止弁（ｃｈｅｃｋ  ｖａｌｖｅ）により、スポイト部が完全に分離されていない状態では、ボタン部の加圧により内容物が容器本体に移動することを遮断することができ、且つ、スポイト部の分離時には、容器本体への空気の流入を遮断することができる。
【図面の簡単な説明】
【００２２】
本発明の詳細な説明で引用される図面をより十分に理解するために、各図面の簡単な説明が提供される。
【図１】本発明の一実施形態に係る液体容器用定量吐出装置の斜視図である。
【図２】本発明の一実施形態に係る液体容器用定量吐出装置の分解斜視図である。
【図３】本発明の一実施形態に係る液体容器用定量吐出装置の結合断面図である。
【図４】本発明の一実施形態に係る液体容器用定量吐出装置のスクリューキャップと補助キャップとの結合関係を示す図である。
【図５】本発明の一実施形態に係る液体容器用定量吐出装置のボタン部、外キャップ及びステムの結合関係を示す図である。
【図６】本発明の一実施形態に係る液体容器用定量吐出装置のスクリューキャップとステムとの結合関係を示す図である。
【図７】本発明の一実施形態に係る液体容器用定量吐出装置の例示的な動作を示す図である。
【図８】本発明の一実施形態に係る液体容器用定量吐出装置の例示的な動作を示す図である。
【図９】本発明の一実施形態に係る液体容器用定量吐出装置の例示的な動作を示す図である。
【図１０】本発明の一実施形態に係る液体容器用定量吐出装置の例示的な動作を示す図である。
【図１１】本発明の一実施形態に係る液体容器用定量吐出装置の例示的な動作を示す図である。
【図１２】本発明の一実施形態に係る液体容器用定量吐出装置の例示的な動作を示す図である。
【発明を実施するための形態】
【００２３】
以下、添付図面を参照して本発明に係る実施形態について説明する。各図面の構成要素に参照符号を付加するに当たり、同一の構成要素については、たとえ他の図面上に表示されても、可能な限り同一の符号を有するようにしていることに留意しなければならない。また、本発明の実施形態を説明するに当たり、関連した公知の構成または機能に対する具体的な説明が本発明の実施形態の理解を妨げると判断される場合には、その詳細な説明は省略する。なお、以下では、本発明の実施形態を説明するが、本発明の技術的思想はこれに限定されたり制限されたりするものではなく、当業者によって変形されて多様に実施されることができる。一方、以下では、便宜上、上下左右の記載方向は、図面に基づくものであり、本発明の権利範囲が当該方向に必ずしも限定されるものではない。
【００２４】
明細書の全般に亘って、ある部分が他の部分と「接続」されているとしたとき、これは、「直接的に接続」されている場合だけではなく、これらの間に他の素子を挟んで「間接的に接続」されている場合も含む。明細書の全般に亘って、ある部分がある構成要素を「含む」としたとき、これは、特に断りのない限り、他の構成要素を除外するものではなく、他の構成要素をさらに含んでいてもよいということを意味する。なお、本発明の実施形態の構成要素について説明するに当たって、第１、第２、Ａ、Ｂ、ａ、ｂなどの用語を使用することができる。これらの用語は、その構成要素を他の構成要素と区別するためのものに過ぎず、これらの用語によって当該構成要素の本質や順序又は順番などが限定されることはない。
【００２５】
図１から図３は、本発明の一実施形態に係る液体容器用定量吐出装置の斜視図、分解斜視図および結合断面図をそれぞれ示す。図４は、本発明の一実施形態に係る液体容器用定量吐出装置のスクリューキャップと補助キャップとの結合関係を示し、図５は、スクリューキャップとステムとの結合関係を示し、図６は、ボタン部、外キャップ及びステムの結合関係を示す。
【００２６】
図１から図６を参照すると、本発明の一実施形態に係る液体容器用定量吐出装置は、容器本体１００、スポイト部２００、支持体３００および内容物吸込部４００を含み得る。
【００２７】
容器本体１００は、内部に内容物を収容することができる。ここで、内容物は、液体またはゲル（ｇｅｌ）状の化粧品、医薬品または歯磨きなどの医薬部外品などであり得るが、これに限定されるものではなく、スポイトパイプ２１０を介して吸入および排出できるすべての種類の物質を包括することができる。一方、容器本体１００の内側には、内容物の使用に応じて上昇するピストン１１０が備えられてもよい。このようなピストンにより、スポイト部２００を用いて容器本体１００から内容物を取り出して使用するに際し、容器本体１００の内壁に残留する内容物を最小限に抑えることができる。
【００２８】
スポイト部２００は、容器本体１００の上部に配置される支持体３００と着脱可能に結合され、容器本体１００に格納された内容物を定量吸入して排出するためのものであり、スポイトパイプ２１０、スクリューキャップ２２０、補助キャップ２３０、外キャップ２４０、ボタン部２５０、ステム２６０、プランジャーチップ２７０および弾性部２８０を含み得る。
【００２９】
スポイトパイプ２１０の下端部を開放し、容器本体１００に収容された内容物を吸引及び吐き出すことができる。具体的には、スポイトパイプ２１０は、支持体３００とスポイト部２００との結合の際にはパイプ収容部３１２に挿入され、支持体３００からスポイト部２００を分離するための回転操作により、内容物流入ホール３２１を介して、容器本体１００から支持体３００の内側に流入する内容物を吸い込むことができる。また、スポイトパイプ２１０は、支持体３００からスポイト部２００が分離されると、パイプ収容部３１２から取り出され、ボタン部２５０の加圧により保管された内容物を外部に吐き出すように構成されてもよい。
【００３０】
スクリューキャップ２２０は、支持体３００の結合部３１１に着脱可能なように螺合されてもよい。例えば、スクリューキャップ２２０は、第１の方向に回転すると、螺合が解除されて結合部３１１から分離され、第１の方向とは反対の第２の方向に回転すると、結合部３１１と結合されるように構成されてもよい。
【００３１】
スクリューキャップ２２０の上端部内側には、スポイト部２００の分離時にステム２６０の上昇をガイドする少なくとも１つのガイド部２２１が形成されてもよい。このようなガイド部２２１によってステム２６０が上昇することにより、容器本体１００に収容された内容物がスポイトパイプ２１０の内側に吸い込まれるように構成されている。
【００３２】
ガイド部２２１は、一方の側に形成される上昇ガイド面２２１−１と、これと対向して他方の側に形成される垂直面２２１−２とを含み得る。上昇ガイド面２２１−１は、第１の方向に沿って上側傾斜面を形成し、ステム２６０が第１の方向に回転すると、昇降突起２６２がこのような上昇ガイド面２２１−１に沿って上方移動して、ステム２６０およびプランジャーチップ２７０をスポイトパイプ２１０の内側で上昇させる。一方、垂直面２２１−２は、補助キャップ２３０の支持段２３２に密着し、スポイト部２００の結合の際に、ステム２６０の昇降突起２６２と接触して回転力の伝達を受けることにより、スクリューキャップ２２０が第２の方向に回転するように働く。
【００３３】
スクリューキャップ２２０の上部には、周りの少なくとも一部を所定の長さだけ下方に切開することにより、少なくとも１つの開放部２２２を形成してもよい。このような開放部２２２は、ボタン部２５０の結合突起２５１に対応する数で構成されてもよい。
【００３４】
スクリューキャップ２２０の下部中央には、スポイトパイプ２１０をスクリューキャップ２２０に固定するためのパイプ固定部２２４が備えられてもよい。パイプ固定部２２４は、スポイトパイプ２１０の上部を取り囲むように結合しており、スポイト部２００が支持体３００の結合部３１１から分離された状態においてスポイトパイプ２１０がスクリューキャップ２２０から離脱することを防止する。また、パイプ固定部２２４の中央部には、ステム２６０を貫通させるための貫通孔２２３が形成されてもよい。
【００３５】
また、スクリューキャップ２２０の下部内周面には、結合部３１１と螺合するための螺合部２２５が形成され、外周面には、外キャップ２４０の環状突起２４２が回転可能に結合される結合溝２２６が凹んで形成されてもよい。
【００３６】
補助キャップ２３０は、スクリューキャップ２２０の上部内側にガイド部２２１を取り囲むように結合してもよい。補助キャップ２３０の内側上部には、ステム２６０の昇降突起２６２の第１の方向への移動を制限する係止段２３１が形成されてよく、内面の一方の領域には、ガイド部２２１の垂直面２２１−２に密着配置される支持段２３２が形成されてもよい。後述するように、スポイト部２００を結合するための第２の方向の回転の際には、昇降突起２６２が垂直面２２１−２と支持段２３２との間に配置されて、スクリューキャップ２２０に回転力を伝達することになる。
【００３７】
外キャップ２４０は、スクリューキャップ２２０を取り囲むように結合しており、使用者の操作に応じて回転することができる。このような外キャップ２４０と共にボタン部２５０、ステム２６０および／またはスクリューキャップ２２０が回転することにより、スポイト部２００が支持体３００と分離または結合される。一方、外キャップ２４０の内面には、ボタン部２５０の上下動をガイドするための垂直ガイド溝２４１が形成されてもよく、外キャップ２４０の下端部外周面には、スクリューキャップ２２０の結合溝２２６に結合される環状突起２４２が形成されてもよい。
【００３８】
ボタン部２５０は、ステム２６０の上端部に結合され、外面には、外キャップ２４０の垂直ガイド溝２４１に結合される少なくとも１つの結合突起２５１が形成されてもよい。これにより、ボタン部２５０およびこれに結合されたステム２６０は、外キャップ２４０の回転に応じて同じ方向に一緒に回転する。
【００３９】
ボタン部２５０の内側上部には、突出部２５２が所定の長さだけ下側に突出しうる。このような突出部２５２が、ステム２６０の上端部に形成された結合溝２６１に挿入されることにより、ボタン部２５０とステム２６０とが結合するように構成されている。このとき、突出部２５２の水平断面は、例えば、多角形を有するか、または横幅と縦幅とが異なる長方形を有してもよいが、これに限定されるものではなく、ボタン部２５０の回転力をステム２６０に伝達するのに適した様々な形状を有してもよい。
【００４０】
ボタン部２５０は、スポイト部２００が支持体３００から分離された状態で、使用者によって加圧されてステム２６０およびプランジャーチップ２７０を下降させることで、スポイトパイプ２１０に吸い込まれた内容物を外部に吐き出すように構成されてもよい。
【００４１】
ステム２６０は、スポイトパイプ２１０の内側に挿入され、ガイド部２２１および／またはボタン部２５０によって昇降（上昇または下降）することができる。
【００４２】
ステム２６０の上端部には、ボタン部２５０の突出部２５２が挿入される結合溝２６１が形成されてもよい。このような結合溝２６１が突出部２５２の形状およい長さに対応して形成されることにより、ボタン部２５０の回転力を受けることができる。突出部２５２の結合溝２６１への挿入長さは、ステム２６０の昇降に応じて変化することができる。
【００４３】
ステム２６０の外周面には、少なくとも１つの昇降突起２６２が外方に突設されてもよい。外キャップ２４０の回転に伴ってボタン部２５０及びステム２６０が第１の方向に回転すると、このような昇降突起２６２がガイド部２２１の上昇ガイド面２２１−１に載置された状態で上昇ガイド面２２１−１に沿って第１の方向に上方移動することにより、ステム２６０およびプランジャーチップ２７０が上昇し、これにより、容器本体１００に収容された内容物がスポイトパイプ２１０内部に吸い込まれることになる。
【００４４】
プランジャーチップ２７０は、ステム２６０の下端部に結合されており、ステム２６０の昇降に応じて、スポイトパイプ２１０の内部で上下に移動することができる。プランジャーチップ２７０は、スポイトパイプ２１０の内面に密着しており、上下に移動すると、スポイトパイプ２１０内の圧力が変化し、スポイトパイプ２１０が容器本体１００から内容物を吸い込んだり、外部に排出したりすることができる。
【００４５】
弾性部２８０は、補助キャップ２３０を取り囲むようにスクリューキャップ２２０とボタン部２５０との間に備えられて、ボタン部２５０に上側に弾性力を加えることができる。スポイト部２００が支持体３００から分離された状態で、使用者が内容物を吐き出すためにボタン部２５０を加圧すると、弾性部２８０が押出され、ステム２６０およびプランジャーチップ２７０がボタン部２５０と共に下降する。続いて、使用者がボタン部２５０の加圧を解除すると、ボタン部２５０は、弾性部２８０の弾性力により元の位置に戻る。弾性部２８０は、例えば、バネで構成されてもよいが、これに限定されるものではなく、本発明が適用される実施形態に応じて、様々な弾性材料が使用可能である。
【００４６】
支持体３００は、容器本体の上部に配置され、上部支持体３１０および下部支持体３２０から構成されてもよい。上部支持体３１０には、上端部にスクリューキャップ２２０と螺合する結合部３１１が形成され、結合部３１１から容器本体１００の内側にスポイトパイプ２１０が挿入または取り出されるパイプ収容部３１２が延設されてもよい。下部支持体３２０には、下端部の中央に、容器本体１００内部と連通する内容物流入ホール３２１が形成されてもよい。このような上部支持体３１０と下部支持体３２０とが互いに結合することにより、後術する内容物吸込部４００が支持体３００の内部に収容され、スポイトパイプ２１０が容器本体１００の内容物に直接曝されなくなる。
【００４７】
内容物吸込部４００は、内容物を支持体３００の内側に流入させ、それをスポイトパイプ２１０に伝達するための構成要素であり、逆止弁４１０およびシーリング部材４２０を含み得る。
【００４８】
逆止弁４１０は、下部支持体３２０の内容物流入ホール３２１の上側に配置されており、ステム２６０およびプランジャーチップ２７０の昇降に応じて内容物流入ホール３２１を開閉することができる。例えば、ステム２６０およびプランジャーチップ２７０が上昇してスポイトパイプ２１０の圧力が変化すると、逆止弁４１０が内容物流入ホール３２１を開放し、内容物流入ホール３２１を介して支持体３００の内側に内容物が流入するようになる。
【００４９】
このような逆止弁４１０は、スポイト部２００が結合部３１１から完全に分離されていない状態で使用者の不注意によってボタン部２５０が加圧された場合、スポイトパイプ２１０に吸い込まれた内容物が容器本体１００に移動することを遮断することができる。また、スポイト部２００が結合部３１１から完全に分離されると、逆止弁４１０が容器本体１００への空気の流入を遮断して、内容物の変質を防止することができる。
【００５０】
シーリング部材４２０は、下部支持体３２０の内面に密着した状態で逆止弁４１０の上側に設けられている。特に、本発明では、上部支持体３１０と下部支持体３２０とを結合させると、パイプ収容部３１２の下端がシーリング部材４２０を加圧し、シーリング部材４２０が下部支持体３２０の内面に密着する。このようなシーリング部材４２０は、スポイト部２００が結合部３１１に結合する際にスポイトパイプ２１０の下端部を取り囲むように締結されるため、内容物がスポイトパイプ２１０を除いた他の箇所に移動することを防止する。シーリング部材４２０の中央には、スポイトパイプ２１０の下端部を挿入・引出するための導入ホール４２１が貫設されてもよい。
【００５１】
図７から図９は、本発明の一実施形態に係る液体容器用定量吐出装置の例示的な動作を示す。より具体的には、図７から図９は、スポイト部の離動作に対応して内容物がスポイトパイプで吸い込まれる例示的な動作を示す。
【００５２】
図７の（ａ）、図８の（ａ）及び図９の（ａ）を参照すると、スポイト部２００が支持体３００の結合部３１１に結合した状態では、ステム２６０は、プランジャーチップ２７０がスポイトパイプ２１０の内側下部に密着するように下降した状態を維持する。このとき、ステム２６０の昇降突起２６２は、スクリューキャップ２２０の内側下端面まで下降しており、ボタン部２５０は、結合突起２５１がスクリューキャップ２２０の上端周りにより支持されるか、弾性部２８０の弾性力により支持されて突出状態を維持する。
【００５３】
さらに、図７の（ｂ）、図８の（ｂ）及び図９の（ｂ）を参照すると、使用者がスポイト部２００を分離するために外キャップ２４０を第１の方向に回転させる場合には、ボタン部２５０およびステム２６０が外キャップ２４０と共に第１の方向に回転することになる。このとき、スクリューキャップ２２０は、停止したままであり、ステム２６０の回転に応じて昇降突起２６２がガイド部２２１の上昇ガイド面２２１−１に沿って第１の方向に上方移動し、ステム２６０およびプランジャーチップ２７０がスポイトパイプ２１０の内部で上昇する。これにより、スポイトパイプ２１０の内部に圧力変化が発生し、容器本体１００に収容された内容物がスポイトパイプ２１０に吸い込まれる。一方、この場合、ボタン部２５０は元の位置を維持しているため、ステム２６０の上昇により、ボタン部２５０の突出部２５２が結合溝２６１に徐々に深く挿入される。
【００５４】
またさらに、図７の（ｃ）、図８の（ｃ）及び図９の（ｃ）を参照すると、昇降突起２６２は、上昇ガイド面２２１−１の先端まで上方に移動した後、第１の方向に水平移動して、ガイド部２２１から離間配置される補助キャップ２３０の係止段２３１に接触することができる。これにより、ステム２６０の回転力がスクリューキャップ２２０に伝達され、スクリューキャップ２２０が外キャップ２４０、ボタン部２５０及びステム２６０と共に第１の方向に回転し、結合部３１１との螺合が解除される。これにより、スポイト部２００は、内容物を吸引した状態で支持体３００から分離され得る。
【００５５】
図１０及び図１１は、本発明の一実施形態に係る液体容器用定量吐出装置の例示的な動作を示す。より具体的には、図１０及び図１１は、スポイト部が分離された状態で内容物が外部に吐き出される例示的な動作を示す。
【００５６】
図１０の（ａ）および図１１の（ａ）を参照すると、スポイト部２００は、スポイトパイプ２１０に内容物を吸い込んだ状態で支持体３００から分離される。このとき、ボタン部２５０の結合突起２５１は、スクリューキャップ２２０の開放部２２２の上側に配置され、ステム２６０の昇降突起２６２は、係止段２３１に接触した状態でガイド部２２１と係止段２３１との離間空間に位置する（図９の（ｃ）参照）。
【００５７】
さらに、図１０の（ｂ）及び図１１の（ｂ）を参照すると、内容物を使用するために使用者がボタン部２５０を加圧すると、ボタン部２５０がスクリューキャップ２２０の開放部２２２を介して下側に下降し、ステム２６０およびプランジャーチップ２７０が下降する。これにより、スポイトパイプ２１０に吸い込まれた内容物は、開口した下端部を介して外部に吐出され得る。
【００５８】
またさらに、図１０の（ｃ）を参照すると、使用者がボタン部２５０の加圧を解除すると、ボタン部２５０は、弾性部２８０の弾性力により元の位置に戻る。このとき、プランジャーチップ２７０とスポイトパイプ２１０の内面との摩擦力により、プランジャーチップ２７０及びステム２６０は上昇せず、下降した状態を維持することができる。
【００５９】
図１２は、本発明の一実施形態に係る液体容器用定量吐出装置の例示的な動作を示す。より具体的には、図１２は、スポイト部の結合動作による昇降突起の移動を例示的に示す。
【００６０】
図１２の（ａ）を参照すると、ボタン部２５０の加圧によりスポイト部２００から内容物が吐き出されると、昇降突起２６２は、ガイド部２２１と係止段２３１との間の離間空間を介してスクリューキャップ２２０の内側下端面まで下降する。
【００６１】
さらに、図１２の（ｂ）を参照すると、使用者がスポイト部２００のスポイトパイプ２１０を支持体３００のパイプ収容部３１２に挿入し、外キャップ２４０を第１の方向とは反対の第２の方向に回転させると、ステム２６０が外キャップ２４０と共に回転し、これにより、昇降突起２６２が第２の方向に移動してガイド部２２１の垂直面２２１−２に接触することになる。また、外キャップ２４０を第２の方向に回転させると、外キャップ２４０、ボタン部２５０及びステム２６０の回転力が垂直面２２１−２を介してスクリューキャップ２２０に伝達され、スクリューキャップ２２０も共に第２の方向に回転し、その結果、スポイト部２００は、支持体３００の結合部３１１に結合される。  
【００６２】
以上のように、図面および明細書で最適の実施形態が開示された。ここで、特定の用語が使われたが、これは単に本発明について説明するための目的で使われたものであり、意味限定や、特許請求の範囲に記載された本発明の範囲を制限するために使用したものではない。そのため、本技術分野の通常の知識を有する者であれば、それから様々な変形及び均等な他の実施形態が可能であるという点を理解することができるであろう。したがって、本発明の真の技術的保護範囲は、添付の特許請求の範囲の技術的思想により決まらねばならない。
【図１】
2021519732.tif 000003
【図２】
2021519732.tif 000004
【図３】
2021519732.tif 000005
【図４】
2021519732.tif 000006
【図５】
2021519732.tif 000007
【図６】
2021519732.tif 000008
【図７】
2021519732.tif 000009
【図８】
2021519732.tif 000010
【図９】
2021519732.tif 000011
【図１０】
2021519732.tif 000012
【図１１】
2021519732.tif 000013
【図１２】
2021519732.tif 000014
【国際調査報告】
2021519732.tif 000015
2021519732.tif 000016
2021519732.tif 000017
2021519732.tif 000018